(57)【要約】【課題】仮リレー切替時でも試験端子に強固に固着することが可能であるとともに、その固着状態を安定的に長く保つことが可能なロックプラグを提供する。【解決手段】ロックプラグ１は、試験端子に内蔵された接点と接触可能な接触子３ａ，３ｂが絶縁ケース２の背面の上下に突設されており、絶縁ケース２内部で接続された状態になっている。また、試験端子内部で２つの接点の内の片方の上流側と他方の下流側とを接続させて固定するための棒状のロック軸４が絶縁ケース２に貫設されている。そして、ロック軸４の基端には、２つの接触子３ａ，３ｂ間に伝わる電気信号を外部に出力するための出力部１１が設けられている。【選択図】図２
2010112801.tif 000002
【特許請求の範囲】
【請求項１】
保護継電器盤の動作点検を行うための試験端子用のロックプラグであって、
前記試験端子に内蔵された２つの接点にそれぞれ接触させて両接点を導通させるための２つの接触子と、
それらの接触子の基端部分を覆う絶縁ケースと、
その絶縁ケースに貫設されており、前記試験端子内部で、前記２つの接点の内の片方の上流側と他方の下流側とを接続させて固定するための棒状のロック軸とを有しており、
前記ロック軸の基端に、前記２つの接触子間に伝わる電気信号を外部に出力するための出力部が設けられていることを特徴とするロックプラグ。
【請求項２】
前記ロック軸が、絶縁体からなる摘みを導電性金属製の軸本体の基端に固着するとともに、絶縁体からなる筒状部材を前記軸本体の外周にスライド可能に装着して前記摘みと隣接させたものであることを特徴とする請求項１に記載のロックプラグ。
【発明の詳細な説明】
【技術分野】
【０００１】
本発明は、保護継電器盤の動作点検を行うための試験端子に用いるロックプラグに関するものである。
【背景技術】
【０００２】
保護継電器盤（所謂、リレー盤）等の動作点検をする際には、特許文献１の如く、保護継電器盤に設置された試験端子に、遮断器のトリップ回路をロックして継電器、計器の校正を行うためのロックプラグが組み付けられる。かかるロックプラグとしては、試験端子に内蔵された２つの接点とそれぞれ接触させるための２つの接触子を絶縁ケースの背面の上下に設け、試験端子内部で、２つの接点の内の片方の上流側と他方の下流側とを接続させて固定するための棒状のロック軸を絶縁ケースを貫通するように設けたものが知られている。
【０００３】
【特許文献１】特開平８−５６５９号公報
【発明の開示】
【発明が解決しようとする課題】
【０００４】
しかしながら、上記従来のロックプラグは、試験端子に取り付けると、上下の接触子が試験端子内に入り込んだ状態となるため、保護継電器盤の動作点検において仮リレーに切り替える必要がある場合に、仮リレーからの遮断器引き外し信号を取り込むことができなかった。それゆえ、仮リレーに切り替える必要がある場合には、試験端子に内蔵された接点同士をリード線によって繋ぎ、そのリード線に仮リレーのケーブルを接続させていたが、そのような方法では、一旦ロックプラグを外すことになり、一次的に保護継電器からのトリップ指令が遮断される。また、リード線を試験端子の接点に強固に固定することが困難であるため、仮リレーのケーブルにわずかな力が加わっただけで、リード線が試験端子の接点から外れたり、ケーブルがリード線から外れたりして、動作点検作業を中断せざるを得なかった。
【０００５】
本発明の目的は、上記従来のロックプラグにおける問題点を解消し、容易に仮リレーからの遮断器引き外し信号を取り込むことができ、そのように仮リレーに切り替えた場合でも、試験端子に強固に固着することが可能なロックプラグを提供することにある。
【課題を解決するための手段】
【０００６】
かかる本発明の内、請求項１に記載された発明は、保護継電器盤の動作点検を行うための試験端子用のロックプラグであって、前記試験端子に内蔵された２つの接点にそれぞれ接触させて両接点を導通させるための２つの接触子と、それらの接触子の基端部分を覆う絶縁ケースと、その絶縁ケースに貫設されており、前記試験端子内部で、前記２つの接点の内の片方の上流側と他方の下流側とを接続させて固定するための棒状のロック軸とを有しており、前記ロック軸の基端に、前記２つの接触子間に伝わる電気信号を外部に出力するための出力部が設けられていることを特徴とするものである。
【０００７】
請求項２に記載された発明は、請求項１に記載された発明において、前記ロック軸が、絶縁体からなる摘みを導電性金属製の軸本体の基端に固着するとともに、絶縁体からなる筒状部材を前記軸本体の外周にスライド可能に装着して前記摘みと隣接させたものであることを特徴とするものである。
【発明の効果】
【０００８】
請求項１に記載のロックプラグは、２つの接触子間を伝わる電気信号を外部に出力するための出力部がロック軸の基端に設けられているので、当該出力部を利用して、容易に仮リレーに切り替えることができ、そのように仮リレー切り替えた場合でも、試験端子に強固に固着することができる。
【０００９】
請求項２に記載のロックプラグは、摘みと隣接した位置において筒状部材が導電性金属製の軸本体の外周にスライド可能に装着された状態になっているので、摘みと筒状部材との間に、仮リレーのトリップケーブルを挟み込んで軸本体と接触させるだけで、非常に容易に仮リレーからの遮断器引き外し信号を取り込むことができる。
【発明を実施するための最良の形態】
【００１０】
以下、本発明に係るロックプラグについて、図面に基づいて詳細に説明する。
【００１１】
図１〜図３は、それぞれ、ロックプラグの正面、右側面、背面を示したものである。また、図４は、ロックプラグの内部構造を示す説明図である。また、図５は、ロックプラグを試験端子に組み付ける様子を示す説明図である。ロックプラグ１は、絶縁ケース２、接触子３ａ，３ｂ、ロック軸４、接地板５等によって組み付け形成されている。
【００１２】
絶縁ケース２は、絶縁体（たとえば、ＡＢＳ樹脂）によって縦長な直方体状（高さ約４４ｍｍ×長さ約１４ｍｍ×幅約１５ｍｍ）に形成されている。そして、中央には、ロック軸４を貫通させるための直径約５．０ｍｍの貫通孔５が、前後を貫くように設けられている。また、絶縁ケース２の前面の貫通孔５の周囲は、円周状に突出した状態になっている。一方、絶縁ケース２の内部には、金属によって縦長な矩形状に形成された接地板６が、前後方向に対して垂直になるように内蔵されている。当該接地板６の中央（上下方向の中央）には、ロック軸４を挿通させるための円形の挿通孔１２が穿設されている。
【００１３】
また、２つの接触子３ａ，３ｂは、金属（たとえば、黄銅）によって扁平な直方体状に形成されている。なお、上側の接触子３ａの方が、下側の接触子３ｂに比べて、やや幅広（上下に幅広）になっている。そして、それらの接触子３ａ，３ｂは、基端を絶縁ケース２の背面に埋め込んで接地板６に当接させ、先端を当該背面と直交する方向へ突出させた状態になっている。
【００１４】
一方、ロック軸４は、軸本体７、摘み８、筒状部材９等によって構成されている。軸本体７は、導電性の金属（たとえば、鉄）によって直径約４．０ｍｍの円柱状に形成されており、先端には、ネジ山が刻設されている。また、摘み８は、絶縁体（たとえば、ＡＢＳ樹脂）によって直径約１０．０ｍｍの円柱状に形成されており、外周には帯状突起が等間隔で設けられている。一方、筒状部材９は、摘み８と同様な絶縁体によって、外径約７．０ｍｍで内径約５．０ｍｍの円筒状に形成されている。そして、ロック軸４は、基端に摘み８を固着させ、軸本体７に筒状部材９を挿通させた状態で、絶縁ケース２の貫通孔５を貫通し、先端際にリング体１０が固着されることによって、絶縁ケース２に対して前後にスライド可能に取り付けられている。また、上記の如く、絶縁ケース２の貫通孔５を貫通することによって、絶縁ケース２に内蔵された接地板６の通過孔１２内を、接地板６に接触することなく貫通した状態になっている。
【００１５】
上記の如く構成されたロックプラグ１は、図５の如く、保護継電器盤に設置される試験端子２１に組み付けて使用される。当該試験端子２１は、ロックプラグ１の接触子３ａ，３ｂを挿入させるための２つの挿入孔２４ａ，２４ｂが前面の上下に設けられており、内部の上下に２つの接点２２ａ，２２ｂが設けられている。また、それらの挿入孔２４ａ，２４ｂの間には、ロック軸４を挿入させるための軸孔２５が穿設されている。なお、図５（ａ）の如く、上側の接点２２ａには、保護継電器からのトリップ指令が入力され、下側の接点２２ｂは、遮断器と接続されている。また、接点２２ａの下流側、端子２２ｂの上流側には、それぞれ、導電板２３ａ，２３ｂが、それぞれ、前後方向に対して垂直に設けられており、それらの導電板２３ａ，２３ｂの先端部分が、平行に対峙した状態になっている。さらに、導電板２３ａ，２３ｂには、それぞれ、ロック軸４の先端を挿通させるための挿通孔が穿設されており、それらの挿通孔には、ロック軸４の先端と螺合するネジ溝が設けられている。
【００１６】
そして、図５（ｂ）の如く、接触子３ａ，３ｂを挿入孔に挿入させてロックプラグ１を試験端子２１に組み付けると、ロックプラグ１の各接触子３ａ，３ｂが、試験端子に内蔵された各接点２２ａ，２２ｂと接触し、保護継電器からのトリップ指令が接点２２ａ→接触子３ａ→接触子６→接触子３ｂ→接点２２ｂと伝達されて遮断器へと導かれる。また、図５（ｃ）の如く、ロック軸４を軸孔２５の内部に深く挿入し、摘み８を回転させて、ロック軸４の先端のネジ山を、導電板２３ａおよび導電板２３ｂの挿通孔のネジ溝に螺合させると、導電板２３ａと導電板２３ｂとがロック軸４の軸本体７を介して接続され、保護継電器からのトリップ指令が導電板２３ａ→導電板２３ｂを介して遮断器へと導かれる状態となる。
【００１７】
上記の如くロック軸４によって導電板２３ａと導電板２３ｂとを接続する際に、ロック軸４の摘み８と筒状部材９との間に、ケーブル（たとえば、先端が扁平なＵ字状に形成されたもの等）を介在させ、当該ケーブルとロック軸４の軸本体７とを接触させることによって、導電板２３ａから導電板２３ｂへと導かれる電気信号を仮リレーへ導くことが可能となる。また、上記の如く、また、ロック軸４を軸孔２５の内部に深く挿入した状態で摘み８を回転させて、ロック軸４の先端のネジ山を、導電板２３ａおよび導電板２３ｂの挿通孔のネジ溝に螺合させると、ロックプラグ１を試験端子２１に固着することが可能となる。
【００１８】
ロックプラグ１は、上記の如く、接触子３ａ，３ｂが絶縁ケース２の背面の上下に突設されているとともに、棒状のロック軸４が絶縁ケース２に貫設されており、かつ、そのロック軸４の基端に、２つの接触子３ａ，３ｂ間に伝わる電気信号を外部に出力するための出力部（すなわち、摘み８と筒状部材９との離反によって形成される軸本体７の露出部分）１１が設けられている。それゆえ、当該出力部１１を利用して、容易に仮リレーに切り替えることができ、そのように仮リレー切り替えた場合でも、試験端子２１に強固に固着することができる。
【００１９】
また、ロックプラグ１は、ロック軸４が、摘み８を導電性金属製の軸本体７の基端に固着するとともに、筒状部材９を軸本体７の外周にスライド可能に装着して摘み８と隣接させたものであるため、摘み８と筒状部材９との間に、仮リレーへの接続用のケーブルを挟み込んで軸本体７に接触させるだけで、非常に容易に仮リレーからの遮断器引き外し信号を取り込むことができる。
【００２０】
なお、本発明に係るロックプラグの構成は、上記実施形態の態様に何ら限定されるものではなく、本発明の趣旨を逸脱しない範囲内で、必要に応じて適宜変更することができる。たとえば、ロック軸を試験端子の軸孔に挿入させた場合に、上下の導電板同士を接続するための構造は、上記実施形態の如く、ロック軸の軸本体を２つの導電板に螺合させるものに限定されず、軸本体の前後動によって片方あるいは両方の導電板を可動させて両者を接続するもの等に変更することも可能である。また、筒状部材は、上記実施形態の如く、全体が合成樹脂等の絶縁体からなるものに限定されず、金属からなる筒状体の周囲を合成樹脂でコーティングしたもの等に変更することも可能である。
【産業上の利用可能性】
【００２１】
本発明に係るロックプラグは、上記の如く優れた機能を奏するものであるから、各種の保護継電器盤の動作点検に好適に用いることができる。
【図面の簡単な説明】
【００２２】
【図１】ロックプラグの正面図である。
【図２】ロックプラグの右側面図である。
【図３】ロックプラグの背面図である。
【図４】ロックプラグの内部構造を示す説明図である。
【図５】ロックプラグを試験端子に組み付ける様子を示す説明図である。
【符号の説明】
【００２３】
１・・ロックプラグ
２・・絶縁ケース
３ａ，３ｂ・・接触子
４・・ロック軸
７・・軸本体
８・・摘み
９・・筒状部材
１１・・出力部
２１・・試験端子
２２ａ，２２ｂ・・接点
【図１】
2010112801.tif 000003
【図２】
2010112801.tif 000004
【図３】
2010112801.tif 000005
【図４】
2010112801.tif 000006
【図５】
2010112801.tif 000007